(57)【要約】【課題】高輝度放電灯の発光効率の低下をもたらすことなく、高輝度放電灯が破損した場合にも破片の散乱を有効確実に防止することができる照明器具を提供する。【解決手段】高輝度放電灯２と、この高輝度放電灯２を収容して当該高輝度放電灯２からの光を外部に照射する開口部３ａを有する灯体３とを備えており、高輝度放電灯２は、透光性筒体６ａの一方の開口端がガラス板６ｂで閉塞されてなる保護管６の内部に発光管４が収容されており、この保護管６を構成するガラス板６ｂと灯体３の開口部３ａとの距離Ｌは、灯体３の開口部３ａの内径Ｄよりも短くなるように設定されている。【選択図】図１
2008010161.tif 000002
【特許請求の範囲】
【請求項１】
高輝度放電灯と、この高輝度放電灯を収容して当該高輝度放電灯からの光を外部に照射する開口部を有する灯体とを備えた照明器具であって、前記高輝度放電灯は、透光性筒体の一方の開口端がガラス板で閉塞されてなる保護管の内部に発光管が収容されており、前記保護管を構成するガラス板と前記灯体の開口部との距離Ｌは、前記灯体の開口部の内径Ｄよりも短くなるように設定されていることを特徴とする照明器具。
【請求項２】
前記灯体の開口部は、遮蔽物がなくて外部に開放されていることを特徴とする請求項１に記載の照明器具。
【発明の詳細な説明】
【技術分野】
【０００１】
本発明は、光輝度放電灯と高輝度放電灯を収容する灯体とを備えた照明器具に関するものである。
【背景技術】
【０００２】
従来から、照明器具として、コンパクトな直管形であるメタルハライドランプ等からなる光輝度放電灯と、高輝度放電灯を収容する灯体とを備えたものが知られている。そして、高輝度放電灯は、発光源としての発光管を備える一方、灯体には、略放物面状の内面が反射面として形成された反射鏡が設けられて高輝度放電灯からの光を反射鏡で反射して所定の照射範囲を照射するようにしている。
【０００３】
この場合、高輝度放電灯は、通常、反射鏡の頂点近傍に設けられた挿入孔を通してソケットに装着されるが、高輝度放電灯の出力効率を高く維持するために、通常、発光管が反射鏡の挿入孔の近傍になるように位置決めされる。
【０００４】
ところで、高輝度放電灯としての発光管は、石英ガラスやセラミックを素材とすることが多く、これが発光管内のハロゲン化金属と反応して侵食や劣化が生じ易い。このため、長期間使用していると、発光管自体の破損が生じる可能性がある。
【０００５】
この不具合を解決するため、従来技術では、高輝度放電灯の発光管を、透光性の筒体の一端面を金属プレートで閉塞してなる保護管、および保護管を覆う外管とで二重に覆うことで、保護管と外管とで発光管の破片散乱防止機能を発揮するようにして、発光管の破片がその照射範囲、例えば、住宅の居室内、店舗内、劇場の観覧席等に散乱しないようにしたものが提案されている（例えば、特許文献１参照）。
【特許文献１】特開平０７−０６５７９０号公報
【発明の開示】
【発明が解決しようとする課題】
【０００６】
しかしながら、特許文献１に記載されている従来のものは、保護管を構成する透光性筒体の一方の開口端が金属プレートで閉塞されているため、発光管からの光がこのプレートによって遮蔽されて発光効率が低下する可能性がある。
【０００７】
そこで、この対策として、発光管を外囲する透光性筒体の一方の開口端を閉塞するにあたり、光を遮蔽しないガラス板を用いることが考えられる。この場合、保護管の内部を特定のガスで充填したり真空に保持する必要性から、透光性筒体とガラス板とは一体に融着して構成される。
【０００８】
ところで、前述のごとく、高輝度放電灯は、出力効率を高く維持するために、発光管が挿入孔の近傍に位置決めされることが多いが、この場合、発光管を収納する保護管が透光性筒体とガラス板とを溶着して構成されていて、その溶着箇所が発光管に近接する位置にあると、反射鏡による反射熱によって透光性筒体とガラス板の融着部分が劣化し易くなり、その結果、保護管の強度が低下して発光管の破片散乱防止機能を十分に奏さなくなる可能性がある。
【０００９】
本発明は、上記の背景技術に鑑みてなされたものであり、高輝度放電灯の発光効率の低下をもたらすことなく、高輝度放電灯が破損した場合にも破片の散乱を有効確実に防止することができる照明器具を提供することを課題とする。
【課題を解決するための手段】
【００１０】
上記課題を解決するために、請求項１記載の発明に係る照明器具は、高輝度放電灯と、この高輝度放電灯を収容して当該高輝度放電灯からの光を外部に照射する開口部を有する灯体とを備えた照明器具であって、前記高輝度放電灯は、透光性筒体の一方の開口端がガラス板で閉塞されてなる保護管の内部に発光管が収容されており、前記保護管を構成するガラス板と前記灯体の開口部との距離Ｌは、前記灯体の開口部の内径Ｄよりも短くなるように設定されていることを特徴としている。
【００１１】
また、請求項２記載の発明に係る照明器具は、請求項１記載の発明の構成において、前記灯体の開口部は、遮蔽物がなくて外部に開放されていることを特徴としている。
【発明の効果】
【００１２】
請求項１に記載された発明によれば、高輝度放電灯の発光管は、透光性筒体の一方の開口端がガラス板で閉塞されてなる保護管の内部に発光管が収容されており、ガラス板と灯体の開口部との距離Ｌは、灯体の開口部の内径Ｄよりも短く設定されているので、発光管と反射鏡が接近することとなる挿入孔の近傍からガラス板が十分に離隔されることとなるので、ガラス板が過度に加熱されるのを防ぐことができ、溶着箇所の劣化が低減される結果、発光管が破損した場合にもその破片の散乱を確実に防止することができる。
【００１３】
特に、灯体の開口部の内径Ｄが９０ｍｍ以下の小型のものは、灯体の内部の空気が入れ替わりにくくて熱が内部にこもり易いので、本発明のように、ガラス板と灯体の開口部との距離Ｌを灯体の開口部の内径Ｄよりも短く設定することは、ガラス板が過度に加熱されるのを防ぐ上で一層有効である。すなわち、この種の照明器具においては、灯体の開口部の内径の下限は１１０ｍｍ〜１００ｍｍとされているが、本発明によって、それを下回る開口部の内径を実現でき、コンパクト化の要請に応じることが可能となる。
【００１４】
また、請求項２に記載された発明によれば、灯体の開口部が遮蔽物がなくて外部に開放されているので、灯体の外の気流によって保護管のガラス板が冷却され易くなり、一層溶着箇所の劣化が低減され、発光管が破損した場合にもその破片の散乱を防止することができる。
【発明を実施するための最良の形態】
【００１５】
図１は本発明の実施の形態における照明器具の半分を断面して見た正面図、図２は同照明器具の分解斜視図、図３は高輝度放電灯の取り付け部分を拡大して半分を断面して見た正面図である。
【００１６】
この実施の形態の照明器具１は、高輝度放電灯２と、この高輝度放電灯２を収容して当該高輝度放電灯２からの光を外部に照射する灯体３とを備える。灯体３は、反射鏡８、取付枠９、回転板１０、ソケット台１１およびソケット１２からなる。そして、後述のように、灯体３を構成する取付枠９の下端部９ａが灯体３の実質的な開口部３ａとなっている。
【００１７】
高輝度放電灯２は、発光管４と、この発光管４を収容した保護管６と、この保護管６を収容する外管７と、これら４，６，７の各一端側が固定されて発光管４に給電する口金１４とから構成されている。
【００１８】
上記の発光管４は、中空の略円筒形のセラミックからなり、その内部には口金１４から給電されて放電を行う電極が設けられるとともに、アルゴン、クリプトン、水銀、酸化マグネシウムなどの封入物が混入されて密閉されている。
【００１９】
保護管６は、例えば肉厚１ｍｍ、外径１６ｍｍの薄肉円筒状の石英ガラスからなる透光性筒体６ａを有し、この透光性筒体６ａの一方の開口端が発光管４と同心状にセメント接着により口金１４に固定されている。また、この透光性筒体６ａの他方の開口端は、減圧下にて石英ガラスからなる円板状のガラス板６ｂ一体的に溶着されて閉塞されている。これにより、保護管６の内部は略真空状態に保持されている。
【００２０】
外管７は、例えば肉厚１．５ｍｍ、外径２０．５ｍｍの薄肉円筒状である石英ガラスの一端側が保護管６と同心状にセメント接着により口金１４に固定されている。また、この石英ガラスの他端側は、石英ガラスからなる円板状のガラス板が一体的に溶着されて閉塞されている。
【００２１】
このように、発光管４、保護管６、および外管７は共に同心状に配置されているので、保護管６と外管７との互いの周壁間距離は略均一になっている。
【００２２】
反射鏡８は、例えばアルミニウム板をへら絞り加工によってその内面が略放物面状となるように形成されたもので、円筒状の前面枠１５とセード１６内に収容される。また、この反射鏡８の頂点近傍には、高輝度放電灯２の挿入穴８ａが形成されている。この場合、挿入穴８ａは、高輝度放電灯２の外管７が通過できるように、穴径が２２．５ｍｍ程度に円形に打ち抜かれている。また、反射鏡８の内面には反射面が形成されている。この反射面は、用途によって金属または樹脂から選択される小曲面が、高輝度放電灯２からの光を所望の方向へ反射するように位置決めされた集合体として構成される。その表面は、化学研磨アルマイト、アルミニウム蒸着、銀蒸着、光学多層膜処理などの任意の処理が施されている。
【００２３】
そして、反射鏡８の内面から挿入穴８ａを通して高輝度放電灯２が挿入されて口金１４がソケット１２に装着されるが、この場合、発光時に最も温度が高くなる発光管４が挿入穴８ａの近傍となる。また、高輝度放電灯３の口金１４をソケット１２に装着した状態において、保護管６を閉塞するガラス板６ｂと、灯体３の開口部３ａとの距離Ｌは、灯体３の開口部３ａの内径Ｄよりも小さくなるように予め設定されている。
【００２４】
この条件を満たすための具体的な対策としては、例えば、高輝度放電灯２の全長が長くなるように形成して保護管６のガラス板６ｂが灯体３の開口部３ａに近付くようにするか、あるいは、灯体３の全高が低くなるように構成して灯体３の開口部３ａが保護管６のガラス板６ｂに近付くようにすることによって達成される。
【００２５】
取付枠９は、アルミニウムダイカストからなる筒状のもので、この取付枠９の下端部９ａが灯体３の実質的な開口部３ａとなっている。この場合、取付枠９の下端部９ａは開放されていて、別段のガラス板等の遮蔽物は何ら設けられていない。また、この取付枠９の外周面には周方向に沿う３箇所に固定金具１９がねじで取り付けられており、これらの各固定金具１９に取付バネ１８が挿着されている。
【００２６】
取付バネ１８はステンレス鋼の薄板を略Ｖ状に成形したもので、取付枠９および取付け面である天井材との間に位置して弾性により照明器具１を固定する。
【００２７】
回転板１０は、アルミダイカストからなり、取付枠９の上方に乗せ掛け、取付枠９の固定金具により、抜け止めがされているが、水平回転方向においては、周動可能としている。
【００２８】
前面枠１５は回転板１０の内側に配置され、反射鏡８の乗せ掛け部を有するとともに側面に抑揚可動の回転軸穴を有している。
【００２９】
セード１６は、アルミニウムダイカストからなり、反射鏡８を収容する略円錐台形状をしたもので、上面に反射鏡８の挿入穴８ａよりも大きい貫通穴が形成されている。
【００３０】
ソケット台１１は、鋼板で構成されており、これにソケット１２が収容されてセード１６上面に固定されている。ソケット１２は、Ｅ型の受け金を有し、外郭は磁器にて構成され、長手方向中心軸は灯体３と同心状に設けられている。
【００３１】
以上のように、この実施の形態の照明器具１において、高輝度放電灯２は、透光性筒体６ａの一方の開口端がガラス板６ｂで閉塞されてなる保護管６の内部に発光管４が収容され、ガラス板６ｂと灯体３の開口部３ａとの距離Ｌは、灯体３の開口部３ａの内径Ｄよりも短く設定されているので、発光管４と反射鏡８とが接近することとなる挿入穴８ａの近傍から，ガラス板６ｂが十分に離隔されることとなる。これにより、保護管６の透光性筒体６ａとガラス板６ｂの溶着箇所が過度に加熱されることがなくなり、溶着箇所の劣化が低減される結果、発光管４が破損した場合にもその破片の散乱を確実に防止することができる。
【００３２】
また、灯体３の開口部３ａが遮蔽物がなくて外部に開放されているので、灯体３の外の気流によって保護管６のガラス板６ｂが冷却され易くなり、一層溶着箇所の劣化が低減され、発光管４が破損した場合にもその破片の散乱を防止することができる。
【図面の簡単な説明】
【００３３】
【図１】本発明の実施の形態における照明器具の半分を断面して見た正面図である。
【図２】同照明器具の分解斜視図である。
【図３】同照明器具の高輝度放電灯の取り付け部分を拡大して半分を断面して見た正面図である。
【符号の説明】
【００３４】
１      照明器具
２      高輝度放電灯
３      灯体
３ａ    開口部
４      発光管
６      保護管
６ａ    透光性筒体
６ｂ      ガラス板
７      外管
Ｌ      保護管のガラス板から灯体の開口部までの距離
Ｄ      灯体の開口部の内径
【図１】
2008010161.tif 000003
【図２】
2008010161.tif 000004
【図３】
2008010161.tif 000005